(57)【特許請求の範囲】
【請求項１】
通信が行われていないときには交換機から発呼検出用の第１の極性の直流電圧が印加され、通信が行われている時には前記第１の極性とは逆極性の第２の極性の直流電圧が交換機から供給されるとともに該第２の極性の直流電圧に重畳してディジタル信号が送受信される１対のディジタル回線を終端し、ディジタル端末装置を接続する回線終端装置において、
アナログ端末装置を接続して、該アナログ端末装置への着信があったときにはこのアナログ端末装置に対する呼出信号を出力し、通話中には該アナログ端末装置が送受信するアナログ信号と前記ディジタル回線で送受信されるディジタル信号との変換を行うアナログ端末接続部と、
前記ディジタル回線に印加された直流電圧が前記第１の極性の時には、導通状態になって該ディジタル回線にループ電流を流すことによって発呼状態を生成し、該ディジタル回線に前記交換機から供給される直流電圧が前記第２の極性の時には非導通状態になるループ構成部と、
前記交換機から前記ディジタル回線に前記第２の極性の直流電圧が供給された時には、該第２の極性の直流電圧を変換して前記アナログ端末接続部に必要な呼出信号発生用の第１の直流電圧と通話用の第２の直流電圧を含むこの回線終端装置に必要な複数の直流電圧を生成する直流電圧変換部と、
前記直流電圧変換部で生成された複数の直流電圧のうち、前記アナログ端末接続部に必要な前記第１及び第２の直流電圧に接続されて該直流電圧に充電される充電可能な第１及び第２の電池とを、
設けたことを特徴とする回線終端装置。
【発明の詳細な説明】
【０００１】
【発明の属する技術分野】
本発明は、ディジタル加入者線を終端して端末装置を接続するための回線終端装置、特にディジタル端末装置に加えて、アナログ端末装置も収容可能な回線終端装置に関するものである。
【０００２】
【従来の技術】
図２は、従来の回線終端装置の構成図である。
この回線終端装置は、図示しない交換機からのディジタル加入者線Ｌ１，Ｌ２に接続される電力分離部１０を有している。電力分離部１０は、交換機側から供給される直流電圧ＤＣと、それに重畳されて送受信される伝送信号ＡＣとを分離するものである。電力分離部１０の伝送信号ＡＣ側には、加入者線Ｌ１，Ｌ２との間で伝送信号ＡＣを送受信するための送受信部２０を介してＵインタフェース３０が接続されている。Ｕインタフェース３０は、加入者線Ｌ１，Ｌ２における伝送損失の補償及びタイミング信号の抽出等の線路終端機能、並びに加入者線伝送方式の制御、起動制御、及び伝送路誤り監視等の回線終端機能を有する回路である。
【０００３】
Ｕインタフェース３０には、複数の端末装置の競合制御等を行うＳ／Ｔインタフェース４０が接続されている。更に、Ｓ／Ｔインタフェース４０には、単数または複数のディジタル端末インタフェース５０が接続されるようになっている。ディジタル端末インタフェース５０は、ＩＴＵ−Ｔ（国際電気通信連合・電気通信標準化部門）の勧告Ｉ．４３０（ＩＳＤＮ基本インタフェース・レイヤ１）に基づいたインタフェース信号の送受信と、ディジタル端末装置へのファントム給電とを行う物理インタフェース回路である。ディジタル端末インタフェース５０は、ディジタル端末装置に対して受信信号ＲＡ，ＲＢを出力するためのドライバ５１、このディジタル端末装置からの送信信号ＴＡ，ＴＢを入力するためのレシーバ５２、及びディジタル端末装置にファントム給電を行うためのトランス５３，５４を備えている。
【０００４】
一方、電力分離部１０の直流電圧ＤＣ側には、ＤＣ−ＤＣコンバータ６１、切離しスイッチ６２、電圧レギュレータ６３、及びループスイッチ６４で構成される直流終端部６０が接続されている。ＤＣ−ＤＣコンバータ６１は、この回線終端装置が起動中に、加入者線Ｌ１，Ｌ２から分離された直流電圧ＤＣから、Ｕインタフェース３０等の内部回路及びディジタル端末インタフェース５０に接続されたディジタル端末装置に必要な直流電圧（５Ｖ及び４０Ｖ）を生成して供給するものである。切離しスイッチ６２は、加入者線Ｌ１，Ｌ２に印加される直流電圧ＤＣの極性と電圧を監視することにより、電圧レギュレータ６３及びループスイッチ６４を加入者線Ｌ１，Ｌ２から切離すためのスイッチである。
【０００５】
電圧レギュレータ６３は、ディジタル端末装置が無通信時に、加入者線Ｌ１，Ｌ２から分離された直流電圧ＤＣから、ディジタル端末インタフェース５０に接続されたディジタル端末装置の発呼動作に必要な直流電圧（４０Ｖ）を生成して供給するものである。また、ループスイッチ６４は、この回線終端装置が停止中に、ディジタル端末装置からの発呼要求に応じて、加入者線Ｌ１，Ｌ２をループ状態に接続することにより、交換機側に発呼要求を伝えるための回路である。ループスイッチ６４は、ディジタル端末インタフェース５０のレシーバ５２に接続された発呼要求検出部７０を介して制御されるようになっている。
【０００６】
次に、このような回線終端装置の動作を説明する。
まず、回線終端装置のディジタル端末インタフェース５０に接続されたディジタル端末装置が通信を行っていない待機状態の場合、ループスイッチ６４はオフ状態となっており、加入者線Ｌ１，Ｌ２のループ回路は形成されていない。これにより、交換機側から加入者線Ｌ１に＋、加入者線Ｌ２に−の極性が印加されるノーマル給電が行われ、加入者線Ｌ１，Ｌ２間に約６０Ｖの直流電圧ＤＣが供給される。回線終端装置の動作は停止しており、ＤＣ−ＤＣコンバータ６１の動作も停止している。一方、切離しスイッチ６２はノーマル給電が行われているのでオン状態となっており、電力分離部１０で分離された直流電圧ＤＣは、切離しスイッチ６２を介して電圧レギュレータ６３に与えられる。電圧レギュレータ６３で生成された４０Ｖの直流電圧は、ディジタル端末インタフェース５０のトランス５３，５４のファントム給電回路を介してディジタル端末装置に供給される。次に、ディジタル端末装置からの発呼要求が行われると、発呼要求検出部７０で発呼信号が検出され、ループスイッチ６４をオン状態にするための制御信号が出力される。ループスイッチ６４がオン状態になって、加入者線Ｌ１，Ｌ２にループ回路が形成されると、交換機側ではループ電流を検出することにより、回線終端装置側での発呼要求を検知する。交換機は、発呼要求を検知すると、対応する加入者線Ｌ１，Ｌ２に供給する直流電圧ＤＣの極性を反転してリバース給電が行われる。リバース給電では、交換機側から加入者線Ｌ１，Ｌ２に３９ｍＡの定電流の給電が行われる。
【０００７】
これにより、切離しスイッチ６２はオフ状態になって、電圧レギュレータ６３及びループスイッチ６４が加入者線Ｌ１，Ｌ２から切離される。一方、ＤＣ−ＤＣコンバータ６１は動作状態になり、この回線終端装置内部に必要な５Ｖの直流電源と、ディジタル端末装置に必要な４０Ｖ、４２０ｍＷの直流電源が生成されて供給される。
このように、回線終端装置では収容したディジタル端末装置に必要な直流電源を、加入者線Ｌ１，Ｌ２から与えられる直流電圧ＤＣをもとに生成して供給する直流終端部６０を有しているので、ディジタル端末装置側で直流電源を持たずに電話等の通信を行うことができるようになっている。
【０００８】
【発明が解決しようとする課題】
しかしながら、従来の回線終端装置では、次のような課題があった。
通信中に交換機側から加入者線Ｌ１，Ｌ２を介して供給される直流電圧ＤＣの電源容量は最大４２０ｍＷであり、ディジタル端末装置の消費電力は、４２０ｍＷ以下でなければならない。しかし、実際のターミナルアダプタ等の回線終端装置では、アナログ電話機等を接続するための各種のインタフェース機能や設定機能等の多様な機能を有するため、加入者線Ｌ１，Ｌ２からの供給電源では賄えず、外部電源を利用している。このため、停電時には外部電源が供給されず、アナログ電話機等による通信が不可能となっていた。
更に、回線終端装置では待機時にもディジタル端末装置に対して電力供給を行う必要があるため、ＤＣ−ＤＣコンバータ６１の他、ノーマル給電時に直流電圧を供給する電圧レギュレータ６３が必要となり、直流終端部６０の構成が複雑となっていた。
本発明は、前記従来技術が持っていた課題を解決し、停電時でもアナログ電話機等による通話が行え、かつ簡素化した直流終端部を有するディジタル加入者線用の回線終端装置を提供するものである。
【０００９】
【課題を解決するための手段】
前記課題を解決するために、本発明は、通信が行われていないときには交換機から発呼検出用の第１の極性の直流電圧が印加され、通信が行われている時には前記第１の極性とは逆極性の第２の極性の直流電圧が交換機から供給されるとともに該第２の極性の直流電圧に重畳してディジタル信号が送受信される１対のディジタル回線を終端し、ディジタル端末装置を接続する回線終端装置において、次のようなアナログ端末接続部と、ループ構成部と、直流電圧変換部と、第１及び第２の電池とを設けている。
【００１０】
アナログ端末接続部は、アナログ端末装置を接続して、該アナログ端末装置への着信があったときにはこのアナログ端末装置に対する呼出信号を出力し、通話中には該アナログ端末装置が送受信するアナログ信号と前記ディジタル回線で送受信されるディジタル信号との変換を行うものである。ループ構成部は、前記ディジタル回線に印加された直流電圧が前記第１の極性の時には、導通状態になって該ディジタル回線にループ電流を流すことによって発呼状態を生成し、該ディジタル回線に前記交換機から供給される直流電圧が前記第２の極性の時には非導通状態になるものである。直流電圧変換部は、前記交換機から前記ディジタル回線に前記第２の極性の直流電圧が供給された時には、該第２の極性の直流電圧を変換して前記アナログ端末接続部に必要な呼出信号発生用の第１の直流電圧と通話用の第２の直流電圧を含むこの回線終端装置に必要な複数の直流電圧を生成するものである。そして、第１及び第２の電池は、前記直流電圧変換部で生成された複数の直流電圧のうち、前記アナログ端末接続部に必要な前記第１及び第２の直流電圧に接続されて該直流電圧に充電されるものである。
【００１１】
本発明によれば、以上のように回線終端装置を構成したので、次のような作用が行われる。
交換機側からディジタル回線に印加された直流電圧が第１の極性の場合、ループ構成部は導通状態になって該ディジタル回線にループ電流を流し、発呼状態が生成される。交換機で発呼状態が検出され、ディジタル回線に印加される直流電圧は反転されて、第２の極性の直流電圧が供給される。これにより、直流電圧変換部において、複数の直流電圧が生成されてアナログ端末接続部を含むこの回線終端装置の各部に供給される。アナログ端末接続部に与えられる呼出信号発生用と通話用の２つの直流電圧は、同時に、充電可能な第１及び第２の電池にも与えられ、これらの電池に充電される。
【００１２】
【発明の実施の形態】
図１は、本発明の実施形態を示す回線終端装置の構成図であり、図２の従来の回線終端装置における要素と共通の要素には共通の符号が付されている。      この回線終端装置は、図２と同様に、図示しない交換機側からディジタル伝送信号ＡＣに重畳されて供給される直流電圧ＤＣを分離するための電力分離部１０、ディジタル加入者線Ｌ１，Ｌ２との間で伝送信号を送受信するための送受信部２０、加入者線Ｌ１，Ｌ２における伝送損失の補償及びタイミング信号の抽出等の線路終端機能、並びに加入者線伝送方式の制御、起動制御、及び伝送路誤りの監視等の回線終端機能を有するＵインタフェース３０を備えている。更に、Ｕインタフェース３０には、複数の端末装置の競合制御等を行うＳ／Ｔインタフェース４０が接続され、このＳ／Ｔインタフェース４０にディジタル端末インタフェース５０が接続されている。そして、ディジタル端末インタフェース５０に、ディジタル端末装置が収容されるようになっている。
【００１３】
一方、図１の回線終端装置のＳ／Ｔインタフェース４０には、アナログ端末接続部（例えば、アナログ端末インタフェース）８０が接続されている。アナログ端末インタフェース８０は、アナログ電話機接続用の端子Ｒ１，Ｒ２を有しており、アナログ通話信号とディジタル通話信号との変換を行うアナログ／ディジタル変換機能、アナログ電話機呼び出し用のベル信号を生成する機能、アナログ電話機の動作に必要な直流電圧を供給する機能等を備えた加入者回路である。    更に、この回線終端装置では、図２中の直流終端部６０に代えて、これと構成及び機能の異なる直流終端部６０Ａを備えている。直流終端部６０Ａは、電力分離部１０で分離された直流電圧ＤＣに接続され、回線終端装置内部に必要な直流電圧を生成して供給するものであり、ループ構成部６５、ダイオード６６、直流電圧変換部（例えば、ＤＣ−ＤＣコンバータ）６７、及びＮｉ−Ｃｄ電池等の充電可能な電池６８ａ，６８ｂで構成されている。
【００１４】
ループ構成部６５は、電力分離部１０で分離された直流電圧ＤＣに接続され、加入者線Ｌ１の極性が＋、加入者線Ｌ２の極性が−のノーマル給電の場合に、順方向接続となるダイオード６５ａと過電流制限用の所定の抵抗値を有する抵抗器６５ｂとで構成されている。また、直流電圧ＤＣの加入者線Ｌ２側には、ダイオード６６のアノードが接続され、このダイオード６６のカソードがＤＣ−ＤＣコンバータ６７の＋入力端子に接続されている。ＤＣ−ＤＣコンバータ６７の−入力端子は、直流電圧ＤＣの加入者線Ｌ１側に接続されており、加入者線Ｌ１の極性が−、加入者線Ｌ２の極性が＋のリバース給電の場合に、この加入者線Ｌ１，Ｌ２からＤＣ−ＤＣコンバータ６７に、所定の直流電圧ＤＣが供給されるようになっている。
【００１５】
ＤＣ−ＤＣコンバータ６７は、＋入力端子と−入力端子との間に所定の直流電圧ＤＣが供給されたときに、その供給された直流電圧ＤＣを変換して、例えば、５Ｖ，４０Ｖ，１５０Ｖ，４８Ｖの各直流電圧を生成するものである。生成された５Ｖの直流電圧は、この回線終端装置内部のＵインタフェース３０等の制御回路に供給される。また、４０Ｖの直流電圧は、ディジタル端末インタフェース５０のファントム給電回路を介してディジタル端末装置に供給されるようになっている。更に、１５０Ｖ及び４８Ｖの直流電圧は、アナログ端末インタフェース８０に対して、呼出信号発生用及びアナログ電話機の通話用の直流電圧としてそれぞれ与えられている。そして、１５０Ｖ及び４８Ｖの直流電圧と接地電位ＧＮＤとの間には、それぞれ電池６８ａ，６８ｂが接続されている。
【００１６】
次に、動作を説明する。
交換機側からノーマル給電が行われ、加入者線Ｌ１の極性が＋、加入者線Ｌ２の極性が−の場合、ダイオード６５ａは順方向接続となり、この加入者線Ｌ１，Ｌ２にループ電流が流れて発呼状態が生成される。交換機側でループ電流が検出されると、加入者線Ｌ１，Ｌ２に印加される直流電圧の極性が反転されて、リバース給電が行われる。これにより、ダイオード６５ａは逆方向接続となり、ループ構成部６５は非導通状態となる。
一方、ダイオード６６は順方向接続となるので、このダイオード６６を介して加入者線Ｌ１，Ｌ２からＤＣ−ＤＣコンバータ６７に所定の直流電圧ＤＣが供給され、５Ｖ，４０Ｖ，１５０Ｖ，４８Ｖの各直流電圧が生成さる。そして、５Ｖの直流電圧は、Ｕインタフェース３０、Ｓ／Ｔインタフェース４０及びディジタル端末インタフェース５０等の制御回路に供給される。４０Ｖの直流電圧は、ディジタル端末インタフェース５０を介してディジタル端末装置に供給される。また、１５０Ｖ及び４８Ｖの直流電圧は、それぞれ電池６８ａ，６８ｂに充電されるとともに、アナログ端末インタフェース８０に対して、呼出信号発生用及びアナログ電話機の通話用の直流電圧として与えられる。
【００１７】
このように、本実施形態の回線終端装置は、常時発呼状態を生成して交換機側からの直流電圧ＤＣの供給を受けるためのループ構成部６５、アナログ端末インタフェース８０用の直流電圧を生成するＤＣ−ＤＣコンバータ６７、及びアナログ端末インタフェース８０用の直流電圧を充電するための電池６８ａ，６８ｂを有している。これにより、ディジタル端末装置やアナログ端末装置が動作していないときの直流電圧を電池６８ａ，６８ｂに充電し、アナログ端末装置が動作する場合に、この電池６８ａ，６８ｂからアナログ端末インタフェース８０を介してアナログ端末装置に直流電圧を供給することができる。
従って、アナログ端末装置用の電源を、別の交流電源等から得る必要がなく、電源構成の簡素化が可能になる。更に、交流電源等の停電時にも、アナログ電話機等のアナログ端末装置による通話が可能である。
なお、本発明は、上記実施形態に限定されず、種々の変形が可能である。この変形例としては、例えば、次の（ａ）〜（ｃ）のようなものがある。
【００１８】
（ａ）  ＤＣ−ＤＣコンバータ６７で生成する直流電圧は、５Ｖ，４０Ｖ，４８Ｖ，１５０Ｖに限定されず、回線終端装置で必要とする直流電圧に合わせて設定すれば良い。
（ｂ）  直流終端部６７の構成は、図１の構成に限定されず、加入者線Ｌ１，Ｌ２を常にリバース給電となるようにループ構成し、リバース給電された直流電圧ＤＣからアナログ端末インタフェース８０に供給するための直流電圧を生成し、その生成した直流電圧を蓄積する充電可能な電池を有するものであれば、どのような構成でも良い。
（ｃ）  電池６８ａ，６８ｂに充電された直流電圧を監視し、この電圧が一定値以下に低下したときに警報を発する低電圧監視部を追加しても良い。これにより、電池６８ａ，６８ｂの充電不足を表示し、予め停電等に対する措置をとることが可能になる。
【００１９】
【発明の効果】
以上詳細に説明したように、本発明によれば、常時発呼状態を生成して交換機側からの直流電圧の供給を受けるためのループ構成部、アナログ端末接続部用の直流電圧を生成する直流電圧変換部、及びアナログ端末接続部用の直流電圧を充電するための第１及び第２の電池を有している。これにより、ディジタル端末装置やアナログ端末装置が動作していないときの直流電圧を第１及び第２の電池に充電し、アナログ端末装置が動作する場合に、これらの電池からアナログ端末接続部を介してアナログ端末装置に、例えば１５０Ｖの呼出信号発生用の直流電圧と、例えば４８Ｖの通話用の例えば４８Ｖの直流電圧を供給することができる。
従って、アナログ端末装置用の別の電源が必要なく、停電時にもアナログ電話機に呼出信号を出力して通話ができるという効果がある。
【図面の簡単な説明】
【図１】本発明の実施形態を示す回線終端装置の構成図である。
【図２】従来の回線終端装置の構成図である。
【符号の説明】
１０              電力分離部
２０              送受信部
３０              Ｕインタフェース
４０              Ｓ／Ｔインタフェース
５０              ディジタル端末インタフェース
６０Ａ            直流終端部
６５              ループ構成部
６６              ダイオード
６７              ＤＣ−ＤＣコンバータ
８０              アナログ端末インタフェース
【図１】
0003628857.tif 000002
【図２】
0003628857.tif 000003